(57)【特許請求の範囲】
【請求項１】
バイブロハンマーに装着する防音カバーと、この防音カバーを装着したバイブロハンマーを不使用時に横倒し姿勢で載置する受け台とからなり、
バイブロハンマーは、クレーン等に対する吊り掛け部を備える上部フレームにダンパ機構を介して起振部が吊支され、該起振部の下方にチャック部が設けられてなり、
防音カバーは、上端開口部を有して下方側に開放したボックス状をなし、バイブロハンマーに対し、上端開口部から前記上部フレームの少なくとも上位側が突出する状態で前記起振部を包囲するように装着され、
受け台は、横長のベースの一端側に、バイブロハンマーの前記チャック部に対する嵌合部が上向きと該ベース上に被さる横向きとに転換回動可能に枢着されると共に、該ベースの他端側に、バイブロハンマーの防音カバーから突出した前記上部フレームに対する支承部が突設されてなり、
チャック部を受け台の前記嵌合部に嵌合したバイブロハンマーが、該嵌合部の回動を伴って受け台に対して起倒可能であり、その倒伏姿勢で該嵌合部と前記支承部とで受け台に支承されると共に、前記防音カバーが受け台のベースから浮き離れるように構成されてなるバイブロハンマーの付属装置。
【請求項２】
受け台の前記嵌合部がＨ形鋼より形成され、バイブロハンマーのチャック部に対し、そのＨ型端面を上向きにした状態で、該Ｈ形鋼のウエブが対をなすチャック爪間に挿嵌すると共に、該Ｈ形鋼の両側のフランジがチャック部の前後に被さるように構成されてなる請求項１に記載のバイブロハンマーの付属装置。
【請求項３】
バイブロハンマーのチャック部が可動爪と固定爪とからなる一対のチャック爪を備える請求項２に記載のバイブロハンマーの付属装置。
【請求項４】
前記防音カバーは、鋼板に吸音材層が裏打ちされてなる請求項１〜３のいずれかに記載のバイブロハンマーの付属装置。
【請求項５】
前記防音カバーは、横断面略コ字形をなす前後一対のカバー枠からなり、合接した両カバー枠が側縁部同士でねじ止めされてボックス状に一体化してなる請求項１〜４のいずれかに記載のバイブロハンマーの付属装置。
【請求項６】
受け台の前記ベースの少なくとも前後左右４箇所に吊上げ用掛止部が設けられてなる請求項１〜５のいずれかに記載のバイブロハンマーの付属装置。
【発明の詳細な説明】
【技術分野】
【０００１】
本発明は、土留め用の鋼矢板やＨ形鋼杭等を地中に打ち込むのに多用されるバイブロハンマーの防音カバーを含む付属装置に関する。
【背景技術】
【０００２】
一般的に、バイブロハンマーは、クレーン等に対する吊り掛け部を備える上部フレームにダンパ機構を介して起振部が吊支され、該起振部の下方に打込み材を把持するチャック部が設けられて、全体的に縦長の比較的偏平な形態をなしており、クレーン等で吊持した状態でチャック部にて地中打込み材の頂部を把持し、起振部の作動で発生させた振動を打込み材に加えることにより、該打込み材の地中への打込みや地中からの引抜きを行うものであり、油圧起振方式と電動起振方式とに大別される。しかして、そのチャック部は、油圧で開閉するチャック爪の対間で打込み材を挟持するが、例えば、鋼矢板やＨ形鋼杭用として一対のチャック爪を備えるシングルチャック、鋼管矢板や鋼管杭用として鋼管上周縁の複数箇所を把持する複数対のチャック爪を備えた鋼管チャック、ハット形鋼矢板の両側片部を把持する二対のチャック爪を備えるハット型チャック、コンクリート矢板用のコンクリートチャック等、対象とする打込み材の種類によってチャック爪対の数と配置が異なっている。
【０００３】
このようなバイブロハンマーを用いた打込み材の打込み施工や引抜き施工では、その起振に伴って大きな騒音が発生することから、周辺への悪影響を避けるためにその騒音抑制が課題となる。因みに、環境省による特定建設作業の騒音・振動規制基準では、バイブロハンマーについて、１号区域及び２号区域共に騒音の基準値が８５デシベル、振動の基準値が７５デシベルと規定されている。なお、油圧起振方式のバイブロハンマーでは、電動起振方式のものに比較して発生する騒音は低く、無対策でも概して上記基準値を下回るが、周辺環境に配慮する上で騒音をできるだけ低くすることが望まれる。
【０００４】
そこで、従来において、上記の騒音対策として、バイブロハンマーに防音カバーを装着することが考えられている。例えば、特許文献１では、防音カバーとして、四周側面と上面とを有する箱型で、上面にクレーンのワイヤーを通す開口部を有すると共に、一側面の上部及び下部に複数の支脚が突設されており、ハンマー本体に上方から被せて用い、該ハンマー本体の不使用時には装着状態で横倒しにすることにより、全体を該防音カバーの支脚で支えるようにしたものが提案されている。
【先行技術文献】
【特許文献】
【０００５】
【特許文献１】特開２０１５−２０３２０７号公報
【発明の開示】
【発明が解決しようとする課題】
【０００６】
しかるに、バイブロハンマー（ハンマー本体）は数トン〜十数トンという大重量であるため、前記提案のように不使用時のバイブロハンマーを防音カバーの支脚で支える場合、該支脚の屈曲や折損、防音カバーの凹み変形等を生じ易く、それを避けるために防音カバーを強靱な金属厚板で構成して頑丈な支脚を設ければ、大幅な重量増加で取り扱い性が悪化する上に製作コストも増大するという難点があった。一方、バイブロハンマーの使用時のみに防音カバーを装着する方法では、その防音カバーの着脱作業に多大な労力及び時間を費やすことになるから、現実的ではない。
【０００７】
本発明は、上述の情況に鑑み、バイブロハンマーにおいて、その使用時の騒音抑制を防音カバーによって低コストで効果的に行えることに加え、不使用時のバイブロハンマーを防音カバー装着状態で横倒しにして安定に保持できると共に、該防音カバーに凹み変形等を生じる懸念がなく、また該バイブロハンマーの使用時の直立姿勢と不使用時の倒伏姿勢との転換操作を確実に且つ容易に行うことを可能にする付属装置を提供することを目的としている。
【課題を解決するための手段】
【０００８】
上記目的を達成するための手段を図面の参照符号を付して示せば、請求項１の発明に係るバイブロハンマーの付属装置は、バイブロハンマー１に装着する防音カバー２と、この防音カバー２を装着したバイブロハンマー１を不使用時に横倒し姿勢で載置する受け台３とからなり、バイブロハンマー１は、クレーン等に対する吊り掛け部１０を備える上部フレーム１１にダンパ機構１２を介して起振部１３が吊支され、該起振部１３の下方にチャック部１４が設けられてなり、防音カバー２は、上端開口部２０を有して下方側に開放したボックス状をなし、バイブロハンマー１に対し、上端開口部２０から上部フレーム１１の少なくとも上位側１１ａが突出する状態で起振部１３を包囲するように装着され、受け台３は、横長のベース３１の一端側に、バイブロハンマー１のチャック部１４に対する嵌合部３２が上向きと該ベース３１上に被さる横向きとに転換回動可能に枢着されると共に、該ベース３１の他端側に、バイブロハンマー１の防音カバー２から突出した上部フレーム１１に対する支承部３３が突設されてなり、チャック部１４を受け台３の嵌合部３２に嵌合したバイブロハンマー１が、該嵌合部３２の回動を伴って受け台３に対して起倒可能であり、その倒伏姿勢で該嵌合部３２と支承部３３とで受け台３に支承されると共に、防音カバー２が受け台３のベース３１から浮き離れるように構成されてなる。
【０００９】
請求項２の発明は、上記請求項１のバイブロハンマーの付属装置において、受け台３の嵌合部３２がＨ形鋼Ｈ１より形成され、バイブロハンマー１のチャック部１４に対し、そのＨ型端面を上向きにした状態で、該Ｈ形鋼Ｈ１のウエブｗが対をなすチャック爪（可動爪１４ａ，固定爪１４ｂ）間に挿嵌すると共に、該Ｈ形鋼Ｈ１の両側のフランジｆ，ｆがチャック部１４の前後に被さるように構成されてなる。
【００１０】
請求項３の発明は、上記請求項２のバイブロハンマーの付属装置において、バイブロハンマー１のチャック部１４が可動爪１４ａと固定爪１４ｂとからなる一対のチャック爪を備える構成としている。
【００１１】
請求項４の発明は、上記請求項１〜３のいずれかのバイブロハンマーの付属装置において、防音カバー２は、鋼板２１に吸音材層２２が裏打ちされてなる構成としている。
【００１２】
請求項５の発明は、上記請求項１〜４のいずれかのバイブロハンマーの付属装置において、防音カバー２は、横断面略コ字形をなす前後一対のカバー枠２ａ，２ｂからなり、合接した両カバー枠２ａ，２ｂが側縁部２１ａ，２１ａ同士でねじ止めされてボックス状に一体化してなる構成としている。
【００１３】
請求項６の発明は、上記請求項１〜４のいずれかのバイブロハンマーの付属装置において、受け台３のベース３１の少なくとも前後左右４箇所に吊上げ用掛止部３６が設けられてなる構成としている。
【発明の効果】
【００１４】
次に、本発明の効果について、図面を参照して具体的に説明する。まず、請求項１の発明に係るバイブロハンマー１の付属装置によれば、 バイブロハンマー１の使用中の起振に伴う騒音が装着した防音カバー２によって効果的に抑制されるが、バイブロハンマー１を不使用時に受け台３上に横倒しにした際、バイブロハンマー１はチャック部１４と上部フレーム１１の上位側１１ａとで受け台３に支承され、装着されている防音カバー２は受け台３から浮き離れた状態になるから、バイブロハンマー１の重量は受け台３にかかるだけで防音カバー２には負荷しない。従って、防音カバー２は、重量負荷による凹み変形等を生じる懸念がないから、強度面からの制約は少なく、専ら防音性能面からの選択によって安価な材料で高い騒音抑制機能を具備させることができる。また、受け台３上に乗せたバイブロハンマー１は、そのチャック部１４が受け台３の嵌合部３２に嵌合しているため、受け台３に乗せた状態で移送したり移動させたりする際に、位置ずれすることなく安定した載置状態に保たれて高い安全性を確保できる。更に、バイブロハンマー１を受け台３上の倒伏姿勢から使用時の直立姿勢へ転換したり、逆に該直立姿勢から不使用時の倒伏姿勢へ転換する際、受け台３の嵌合部３２がチャック部１４に嵌合したまま回動し得るから、クレーン等のワイヤーに吊り掛けた状態で安全に且つ容易に姿勢転換操作を行える。
【００１５】
請求項２の発明によれば、受け台３の嵌合部３２がＨ形鋼Ｈ１より形成され、バイブロハンマー１のチャック部１４に対し、そのＨ型端面を上向きにした状態で、ウエブｗが対をなすチャック爪（可動爪１４ａ，固定爪１４ｂ）間に挿嵌すると共に、両側のフランジｆ，ｆがチャック部１４の前後に被さることで、該嵌合部３２とチャック部１４とが堅固に掛止嵌合するから、受け台３上でのバイブロハンマー１の載置状態がより安定化すると共に、その嵌合部分を基点とした該バイブロハンマー１の起倒変位による姿勢転換操作をより円滑に行える。特に、打込み材に対するのと同様に両チャック爪１４ａ，１４ｂで嵌合部３２のＨ形鋼Ｈ１のウエブｗを挟着すれば、受け台３上でのバイブロハンマー１を不動に保つことができると共に、上記のバイブロハンマー１の姿勢転換操作をより安全に円滑に行える。
【００１６】
請求項３の発明によれば、バイブロハンマー１のチャック部１４が可動爪１４ａと固定爪１４ｂとからなる一対のチャック爪を備える所謂シングルチャックであるから、対応する受け台３の嵌合部３２が一箇所になり、それだけ該受け台３が構造的に簡素で安価に製作可能となる。
【００１７】
請求項４の発明によれば、防音カバー２は、鋼板２１に吸音材層２２を裏打ちしたものであるから、高い騒音抑制作用が得られると共に、軽量で取り扱い性に優れる。
【００１８】
請求項５の発明によれば、防音カバー２は、横断面略コ字形をなす前後一対のカバー枠２ａ，２ｂからなり、合接した両カバー枠２ａ，２ｂを側縁部２１ａ，２１ａ同士でねじ止めしてボックス状に一体化するようになっているから、バイブロハンマー１に対する取付け及び取外しの操作を容易に迅速に行えるという利点がある。
【００１９】
請求項６の発明によれば、受け台３のベース３１の少なくとも前後左右４箇所に吊上げ用掛止部３６が設けられているから、これら吊上げ用掛止部３６にクレーン等のワイヤー端のフック金具等を掛止することで、バイブロハンマー１を受け台３ごと安定に吊り上げて、運搬車に対する積み下ろしや所要場所への移動を容易に能率よく行える。
【図面の簡単な説明】
【００２０】
【図１】本発明の一実施形態に係る防音カバーを装着したバイブロハンマーの斜視図である。
【図２】同防音カバーを構成する一方のカバー枠の斜視図である。
【図３】同バイブロハンマーの防音カバー側端位置での縦断側面図である。
【図４】同バイブロハンマーの下部側の正面図である。
【図５】同バイブロハンマーの受け台の斜視図である。
【図６】同受け台の嵌合部に対する直立姿勢のバイブロハンマーの嵌合操作を示す側面図である。
【図７】同受け台の嵌合部に対する直立姿勢のバイブロハンマーの嵌合状態を示す側面図である。
【図８】同受け台にバイブロハンマーが倒伏姿勢で載置された状態の斜視図である。
【発明を実施するための形態】
【００２１】
以下に、本発明に係るバイブロハンマーの付属装置の実施形態について、図面を参照して具体的に説明する。なお、実施形態では、バイブロハンマーとして油圧振り子式可変超高周波型のものを例示している。
【００２２】
図１及び図３に示すバイブロハンマー１は、頂端中央部にクレーン等に対する吊り掛け部１０を備える上部フレーム１１と、この上部フレーム１１にダンパ機構１２を介して吊支された起振部１３と、該起振部１３の下方に設けられたチャック部１４とで構成され、全体的に縦長の比較的偏平な形態をなしており、その起振部１３の全体を含む中間部周囲を覆うように防音カバー２が装着されている。また、バイブロハンマー１の起振部１３の前面側及び後面側には、各々左右一対の保護枠１５，１６が取り付けられている。なお、図示を省略しているが、起振部１３には、複数の偏心重錘（振り子）と、これらを回転させるための油圧モーター及びギヤ機構が内蔵されている。
【００２３】
防音カバー２は、前後一対の相互に対称形をなすカバー枠２ａ，２ｂを合接し、下方側に開放したボックス状にしたものであり、両カバー枠２ａ，２ｂの頂部間で形成する上端開口部２０からバイブロハンマー１の上部フレーム１１の上位側１１ａが突出すると共に、開放した下端より該バイブロハンマー１のチャック部１４が下方へ突出している。
【００２４】
防音カバー２の両カバー枠２ａ，２ｂは、鋼板２１の曲げ加工によって横断面略コ字枠状に形成され、その内面側の略全体にガラスウールやロックウール等よりなる吸音材層２２が裏打ちされている。そして、図２でも示すように、鋼板２１の外向きに曲折した左右の各側縁部２１ａに一定間隔でボルト孔２３が穿設され、該鋼板２１の上縁部２１ｂ及び下縁部２１ｃは巻き込んで筒状に曲成され、その上縁部２１ｂにもボルト孔２４が穿設されている。しかして、防音カバー２は、両カバー枠２ａ，２ｂの合接した両側縁部２１ａ，２１ａ同士をボルト止めしてボックス状に一体化すると共に、バイブロハンマー１の上部フレーム１１に対し、両カバー枠２ａ，２ｂの上縁部２１ｂ，２１ｂをボルト２５（図１参照）で止着するようになっている。
【００２５】
図４に示すように、このバイブロハンマー１のチャック部１４は、シングルチャックとして、油圧シリンダ（図示省略）にて進退動作する可動爪１４ａと、固定爪１４ｂとからなる一対のチャック爪を備えており、両爪１４ａ，１４ｂ間に鋼矢板やＨ形鋼杭の如き打込み材の頂部を挿嵌して挟着することにより、起振部１３の作動で発生させた振動を該打込み材に加えるようになっている。そして、この起振部１３の作動に伴って大きな騒音が発生するが、該起振部１３の周囲が防音カバー２によって覆われているから、その遮蔽効果と吸音材層２２による吸音効果とが相俟って、外部への騒音伝播は著しく低減することになる。
【００２６】
図５は、不使用時のバイブロハンマー１を載置する受け台３を示す。この受け台３は、横長のベース３１上の一端側に、２個の短いＨ形鋼Ｈ１，Ｈ２を直角に溶接一体化した回動部材３４が枢支ピン３５を介して起倒回動自在に枢着されると共に、該ベース３１上の他端側に、その幅方向に沿って開放側を下向きに溶接したチャンネル材からなる支承部３３が突設されている。そのベース３１は、帯状鋼板の長手方向に沿う両側部を下向きに曲成した帯板枠３１ａと、その両端部の下面側に幅方向に沿って溶接固着した鋼製角筒材からなる支持バー３１ｂ，３１ｃとで構成され、両３１ｂ，３１ｃの帯板枠３１ａより突出した両端部に、それぞれ植設したリング付きボルトよりなる吊上げ用掛止部３６が設けられている。なお、帯板枠３１ａの一端側上面には、枢支ピン３５の両端を回転自在に支持する一対の枢支突片３１ｄ，３１ｄが突設されている。
【００２７】
回動部材３４の先端側のＨ形鋼Ｈ１は、バイブロハンマー１のチャック部１４に対する嵌合部３２を構成しており、図５で示すように、該回動部材３４がベース３１から外側へ突出する待機姿勢において、そのＨ型端面を上向きにした状態で下端がベース３１から離間して接地するように設定されている。
【００２８】
そして、図６に示すように、クレーンのワイヤ（図示省略）で吊り下げた使用後のバイブロハンマー１を直立姿勢のまま、そのチャック部１４の可動爪１４ａと固定爪１４ｂ間に該Ｈ形鋼Ｈ１のウエブｗが臨むように、嵌合部３２の真上に位置させて降下させることにより、両爪１４ａ，１４ｂ間に該Ｈ形鋼Ｈ１のウエブｗが挿嵌すると共に、該Ｈ形鋼Ｈ１の両側のフランジｆ，ｆがチャック部１４の前後に被さり、図７の実線で示すように、防音カバー２を装着したバイブロハンマー１の全体が嵌合部３２上に係止嵌合した状態で載る。次いで、吊り下げたワイヤを繰り出しつつ、その吊下げ位置をベース３１側へ移動してゆけば、回動部材３４の回動を伴って直立していたバイブロハンマー１がベース３１上へ傾倒してゆき、図７の仮想線で示すように上部フレーム１１の上位側１１ａが受け台３の支承部３３に載る形で、横倒しになって該受け台３に支承される。
【００２９】
かくして受け台３上に載ったバイブロハンマー１は、図８でも示すように、回動部材３４の嵌合部３２に係止嵌合しているチャック部１４と、支承部３３に載った上部フレーム１１の上位側１１ａとで該受け台３に支えられ、装着されている防音カバー２が受け台３から浮き離れた状態になっている。従って、バイブロハンマー１の重量は受け台３にかかるだけで防音カバー２には負荷せず、該防音カバー２の重量負荷による凹み変形等を生じる懸念がない。また、防音カバー２として、強度面からの制約が少なくなるから、強靱な金属厚板等を用いる必要がなく、専ら防音性能面からの選択によって安価な材料で高い騒音抑制機能を具備させ、且つ軽量で取り扱い性のよいものになし得る。
【００３０】
更に、この受け台３では、ベース３１の前後左右４箇所に吊上げ用掛止部３６を備えるから、これら吊上げ用掛止部３６にクレーン等のワイヤー端のフック金具等を掛止することで、バイブロハンマー１を受け台３ごと安定に吊り上げて、運搬車に対する積み下ろしや所要場所への移動を容易に能率よく行える。しかして、受け台３上のバイブロハンマー１は、チャック部１４が該受け台３の嵌合部３２に係止嵌合しているため、受け台３に乗せた状態での搬送や移動に際し、多少の揺れや振動が加わっても位置ずれすることなく安定した載置状態に保たれ、もって高い安全性を確保できる。
【００３１】
一方、受け台３上に載ったバイブロハンマー１を鋼矢板等の打込み工事に使用する際には、倒伏姿勢のバイブロハンマー１の吊り掛け部１０に、クレーンのワイヤに取り付けたフック（図示省略）を掛止し、そのまま吊り上げてゆけばよい。この吊り上げにより、倒伏していた該バイブロハンマー１が回動部材３４の回動を伴って起立してゆき、最後に図７の実線で示す直立姿勢になり、更に吊り上げることでチャック部１４が回動部材３４の嵌合部３２から抜け出し、もって受け台３から上方へ離脱する。
【００３２】
しかして、上述のようにバイブロハンマー１を受け台３上の倒伏姿勢から使用時の直立姿勢へ転換したり、逆に使用後に該直立姿勢から受け台３上への倒伏姿勢へ転換する際、受け台３の嵌合部３２がチャック部１４に嵌合したまま回動し得るから、バイブロハンマー１を吊り掛け部１０を介してクレーン等のワイヤーに吊り掛けた状態で、安全に且つ非常に容易に姿勢転換操作を行える。
【００３３】
なお、バイブロハンマー１のチャック部１４に受け台３の嵌合部３２を嵌合したとき、打込み材に対するのと同様に可動爪１４ａと固定爪１４ｂの間で該嵌合部３２のＨ形鋼Ｈ１のウエブｗを挟着してもよい。この場合、バイブロハンマー１がチャック部１４において受け台３に連結した形になるから、バイブロハンマー１の受け台３での起倒操作をより安全に且つ円滑に行えると共に、受け台３に乗せた状態での搬送や移動に際し、受け台３上でのバイブロハンマー１を不動に保つことができるという利点がある。
【００３４】
本発明の適用対象とするバイブロハンマー１は、実施形態で例示した油圧振り子式可変超高周波型のものに限らず、油圧ピストン式可変超高周波型のような他の油圧起振式のものや、電動起振方式のものでもよい。しかして、防音カバー２としては、適用対象とするバイブロハンマー１の起振部１３の外形に対応して、該起振部１３の全体を包囲し得る形態及びサイズに設定すればよい。なお、実施形態の防音カバー２のように、横断面略コ字形の前後一対のカバー枠２ａ，２ｂを側縁部２１ａ，２１ａ同士でねじ止めするものでは、バイブロハンマー１に対する取付け及び取外しの操作を容易に迅速に行えるという利点がある。
【００３５】
また、バイブロハンマー１のチャック部１４についても、例示したシングルチャックに限らず、鋼管矢板や鋼管杭用としての複数対のチャック爪を備えた鋼管チャック、ハット形鋼矢板の両側片部を把持する二対のチャック爪を備えるハット型チャック、コンクリート矢板用のコンクリートチャック等でもよい。しかして、受け台３は、これらチャックの数及び配置と打込み材の形態に対応した嵌合部３２を備えるものとすればよい。ただし、例示したチャック部１４のような可動爪１４ａと固定爪１４ｂとからなるシングルチャックでは、受け台３の嵌合部３２を例示したＨ形鋼Ｈ１のように単一で簡素な形態になし得る点で好適である。
【００３６】
その他、本発明においては、防音カバー２の細部形状とバイブロハンマー１への取付方式、受け台３におけるベース３１の形状、嵌合部３２を備える回動部材３４の基部側の形状と枢支構造、吊上げ用掛止部３６の形状等、細部構成については実施形態以外に種々設計変更可能である。
【符号の説明】
【００３７】
１          バイブロハンマー
１１        上部フレーム
１１ａ      上位側
１２        ダンパ機構
１３        起振部
１４        チャック部
１４ａ      可動爪
１４ｂ      固定爪
２          防音カバー
２ａ，２ｂ  カバー枠
２０        上端開口部
２１        鋼板
２１ａ      側縁部
２２        吸音材層
３          受け台
３１        ベース
３２        嵌合部
３３        支承部
３６        吊上げ用掛止部
Ｈ１        Ｈ形鋼
ｗ          ウエブ
ｆ          フランジ
【要約】
【課題】バイブロハンマーにおいて、使用時の騒音を防音カバーにて効果的に抑制し、不使用時に防音カバーの凹み変形等を生じさせずに横倒しで安定に保持し、使用時の直立姿勢と不使用時の倒伏姿勢との転換操作を容易する手段を提供する。
【解決手段】バイブロハンマー１に装着する防音カバー２と、不使用時のバイブロハンマー１を横倒し姿勢で載置する受け台３とからなる付属装置である。防音カバー２は、上端開口部２０を有して下方側に開放したボックス状をなし、バイブロハンマー１に対し、上端開口部２０から上部フレーム１１を突出させる形で起振部１３を包囲するる。受け台３は、ベース３１の一端側に嵌合部３２が上向きと横向きとに転換回動可能に枢着され、他端側にバイブロハンマー１の上部フレーム１１に対する支承部３３を備え、チャック部１４を嵌合部３２に嵌合したバイブロハンマー１を倒伏姿勢で嵌合部３２と支承部３３とで支承する。
【選択図】図７【図１】
0006051332.tif 000002
【図２】
0006051332.tif 000003
【図３】
0006051332.tif 000004
【図４】
0006051332.tif 000005
【図５】
0006051332.tif 000006
【図６】
0006051332.tif 000007
【図７】
0006051332.tif 000008
【図８】
0006051332.tif 000009